(57)【要約】【課題】受信波の電界強度が変化した場合であっても生成するビタビ尤度の精度を安定させることで誤り訂正精度を高めること。【解決手段】電界強度取得部が、受信波の電界強度を取得するとともに、距離取得部が、直交周波数分割多重信号を同相成分軸および直交成分軸であらわしたコンスタレーションにおける中心点と受信点との距離を取得し、変換部が、取得された距離からビタビ尤度への変換について、かかる距離が所定の閾値を上回ったか否かによってそれぞれ異なる変換を行うこととしたうえで、閾値変更部が、取得された電界強度に基づいてかかる閾値を変更するように受信装置を構成する。【選択図】        図２
2010063030.tif 000002
【特許請求の範囲】
【請求項１】
受信した直交周波数分割多重信号からビタビ尤度を生成して前記直交周波数分割多重信号の誤り訂正を行う受信装置であって、
受信波の電界強度を取得する電界強度取得手段と、
前記直交周波数分割多重信号を同相成分軸および直交成分軸であらわしたコンスタレーションにおける中心点と受信点との距離を取得する距離取得手段と、
前記距離取得手段によって取得された前記距離から前記ビタビ尤度への変換について、当該距離が所定の閾値を上回ったか否かによってそれぞれ異なる変換を行う変換手段と、
前記電界強度取得手段によって取得された前記電界強度に基づいて前記変換手段における前記閾値を変更する閾値変更手段と
を備えたことを特徴とする受信装置。
【請求項２】
前記電界強度取得手段は、
前記距離取得手段によって取得された前記距離の分布に基づいて前記電界強度を取得することを特徴とする請求項１に記載の受信装置。
【請求項３】
前記変換手段は、
前記距離取得手段によって取得された前記距離が前記所定の閾値以下の場合には、当該距離を一定の前記ビタビ尤度となるように変換し、前記距離取得手段によって取得された前記距離が前記所定の閾値を上回った場合には、当該距離の増加に比例して前記ビタビ尤度が減少するように変換することを特徴とする請求項１または２に記載の受信装置。
【請求項４】
前記変換手段は、
前記距離取得手段によって取得された前記距離に対して所定の補正を行った補正後距離を算出したうえで、負の傾きを有する直線で前記ビタビ尤度および前記距離の関係をあらわした基準変換式によって前記補正後距離から前記ビタビ尤度への変換を行うことを特徴とする請求項３に記載の受信装置。
【請求項５】
前記閾値変更手段は、
０を最小値とし、前記中心点から隣接する前記コンスタレーションとの境界までの距離を最大値とする範囲内で前記所定の閾値を変更することを特徴とする請求項１〜４のいずれか一つに記載の受信装置。
【請求項６】
前記距離取得手段は、
前記コンスタレーションにおける同相成分軸についての距離および直交成分軸についての距離をそれぞれ取得し、
前記変換手段および閾値変更手段は、
前記同相成分軸についての距離および前記直交成分軸についての距離のそれぞれについて変換処理および閾値変更処理を行うことを特徴とする請求項１〜５のいずれか一つに記載の受信装置。
【請求項７】
受信した直交周波数分割多重信号からビタビ尤度を生成して前記直交周波数分割多重信号の誤り訂正を行う受信方法であって、
受信波の電界強度を取得する電界強度取得工程と、
前記直交周波数分割多重信号を同相成分軸および直交成分軸であらわしたコンスタレーションにおける中心点と受信点との距離を取得する距離取得工程と、
前記距離取得工程によって取得された前記距離から前記ビタビ尤度への変換について、当該距離が所定の閾値を上回ったか否かによってそれぞれ異なる変換を行う変換工程と、
前記電界強度取得工程によって取得された前記電界強度に基づいて前記変換工程における前記閾値を変更する閾値変更工程と
を含んだことを特徴とする受信方法。
【発明の詳細な説明】
【技術分野】
【０００１】
この発明は、受信した直交周波数分割多重信号からビタビ尤度を生成して直交周波数分割多重信号の誤り訂正を行う受信装置および受信方法に関し、特に、受信波の電界強度が変化した場合であっても生成するビタビ尤度の精度を安定させ、これによって、誤り訂正精度を高めることができる受信装置および受信方法に関する。
【背景技術】
【０００２】
近年、車載用ＤＴＶ（デジタルテレビジョン）受信機が普及してきている。ＤＴＶ放送波は、ＯＦＤＭ（Orthogonal  Frequency  Division  Multiplexing；直交周波数分割多重）方式に準拠しており、ＤＴＶ放送波から情報を復調する際には、いわゆる、ＯＦＤＭ復調を行う必要がある。
【０００３】
ところで、上記した車載用ＤＴＶ受信機の場合、車両の速度や向き、車両周辺の環境に応じて受信環境が絶えず変化するので、このような移動環境においても放送波を安定して受信することが求められている。
【０００４】
このため、受信信号の誤り訂正を行う誤り訂正回路（誤り訂正部）を用いて受信性能を向上させることが広く行われている。ここで、受信信号の誤り訂正には、ビタビ復号（Viterbi  Decoding）と呼ばれる誤り訂正復号方式が広く用いられている（たとえば、特許文献１参照）。
【０００５】
そして、ビタビ軟判定復号を行う場合には、ビタビ尤度と呼ばれるデータ信頼度を示すパラメータの精度が重要となる。その理由は、ビタビ尤度の精度が低いとビタビ軟判定復号の復号精度が悪化してしまうためである。
【０００６】
かかるビタビ尤度は、直交周波数分割多重信号を同相成分軸および直交成分軸であらわしたコンスタレーションにおける中心点と受信点との距離に基づいて算出される。ここで、ビタビ尤度は、受信点が中心点にある場合には最大値をとり、受信点と中心点との距離が大きくなるに従って直線的に減少していくように算出されていた。
【０００７】
【特許文献１】特開２００４−４０５８７号公報
【発明の開示】
【発明が解決しようとする課題】
【０００８】
しかしながら、上記したビタビ尤度算出手法は、受信波の電界強度に関わらず同一の算出式を用いてビタビ尤度を算出しているため、生成されるビタビ尤度の信頼性が電界強度に応じて大きく変化してしまうという問題があった。
【０００９】
具体的には、コンスタレーションにおける中心点と受信点との距離が同一であっても、電界強度が異なれば受信点分布のばらつきが変化するので、ビタビ尤度は異なった値となるはずである。このため、同一の算出式を用いてビタビ尤度を算出すると、所定の電界強度において算出されるビタビ尤度が妥当であっても、異なる電界強度において算出されるビタビ尤度が不当なものとなってしまうという問題があった。
【００１０】
これらのことから、受信波の電界強度が変化した場合であっても生成するビタビ尤度の精度を安定させ、これによって、誤り訂正精度を高めることができる受信装置あるいは受信方法をいかにして実現するかが大きな課題となっている。
【００１１】
この発明は、上述した従来技術による問題点を解消するためになされたものであり、受信波の電界強度が変化した場合であっても生成するビタビ尤度の精度を安定させ、これによって、誤り訂正精度を高めることができる受信装置および受信方法を提供することを目的とする。
【課題を解決するための手段】
【００１２】
上述した課題を解決し、目的を達成するため、本発明は、受信した直交周波数分割多重信号からビタビ尤度を生成して前記直交周波数分割多重信号の誤り訂正を行う受信装置であって、受信波の電界強度を取得する電界強度取得手段と、前記直交周波数分割多重信号を同相成分軸および直交成分軸であらわしたコンスタレーションにおける中心点と受信点との距離を取得する距離取得手段と、前記距離取得手段によって取得された前記距離から前記ビタビ尤度への変換について、当該距離が所定の閾値を上回ったか否かによってそれぞれ異なる変換を行う変換手段と、前記電界強度取得手段によって取得された前記電界強度に基づいて前記変換手段における前記閾値を変更する閾値変更手段とを備えたことを特徴とする。
【００１３】
また、本発明は、受信した直交周波数分割多重信号からビタビ尤度を生成して前記直交周波数分割多重信号の誤り訂正を行う受信方法であって、受信波の電界強度を取得する電界強度取得工程と、前記直交周波数分割多重信号を同相成分軸および直交成分軸であらわしたコンスタレーションにおける中心点と受信点との距離を取得する距離取得工程と、前記距離取得工程によって取得された前記距離から前記ビタビ尤度への変換について、当該距離が所定の閾値を上回ったか否かによってそれぞれ異なる変換を行う変換工程と、前記電界強度取得工程によって取得された前記電界強度に基づいて前記変換工程における前記閾値を変更する閾値変更工程とを含んだことを特徴とする。
【発明の効果】
【００１４】
本発明によれば、受信波の電界強度を取得するとともに、直交周波数分割多重信号を同相成分軸および直交成分軸であらわしたコンスタレーションにおける中心点と受信点との距離を取得し、取得された距離からビタビ尤度への変換について、かかる距離が所定の閾値を上回ったか否かによってそれぞれ異なる変換を行うこととしたうえで、取得された電界強度に基づいてかかる閾値を変更することとしたので、受信波の電界強度が変化した場合であっても生成するビタビ尤度の精度を安定させ、これによって、誤り訂正精度を高めることができるという効果を奏する。
【発明を実施するための最良の形態】
【００１５】
以下に添付図面を参照して、この発明に係る受信装置および受信方法の好適な実施例を詳細に説明する。なお、以下では、本発明に係る受信手法の概要を図１を用いて説明した後に、本発明に係る受信手法を適用した受信装置についての実施例について説明することとする。
【００１６】
まず、本発明に係る受信手法の概要について図１を用いて説明する。図１は、本発明に係る受信手法の概要を示す図である。なお、同図では、電界強度をＣＮ値（Carrier  To  Noise  Ratio）であらわした場合について示している。
【００１７】
同図の「従来」において示したように、従来は、各コンスタレーションにおける受信点の中心点からの距離とビタビ尤度との関係が逆比例となる関係式を用いてビタビ尤度が算出されていた。ここで、かかる計算式は、電界強度の強弱に関わらず同一のものが用いられていた。
【００１８】
なお、同図に示す「ＭＡＸ」は、各コンスタレーションの中心点から隣接するコンスタレーションまでの距離をあらわしており、同相成分軸（In-Phase）について中心点から隣接するコンスタレーションまでの距離、または、直交成分軸（Quadrature）について中心点から隣接するコンスタレーションまでの距離を指す。
【００１９】
このように、従来は、電界強度の強弱に関わらず、同一の算出式を用いてビタビ尤度が算出されていたため、算出されるビタビ尤度の精度に問題があった。具体的には、電界強度が変化すると、受信点の分布（たとえば、正規分布）の広がりは変化する。
【００２０】
しかし、従来は、受信点と中心点との距離をビタビ尤度へ変換する場合に、かかる分布状況を考慮しておらず、データ（受信点）の確からしさを示すはずのビタビ尤度が、本来の値とはかけはなれたものとなる場合があった。
【００２１】
たとえば、電界強度が十分に強い場合の受信点は、該当するコンスタレーション内に分布することが多いが、電界強度が弱い場合の受信点は、該当するコンスタレーションのみならず隣接するコンスタレーションへはみ出して分布することが多い。
【００２２】
すなわち、電界強度が十分に強い場合には、他のコンスタレーションから受信点が混ざり込むことが少ないので各コンスタレーションの周辺部においてもビタビ尤度は高い値をとるはずである。一方、電界強度が弱い場合には、他のコンスタレーションから受信点が混ざり込むことが多いので、各コンスタレーションの周辺部では、特に、ビタビ尤度が低い値をとるはずである。
【００２３】
したがって、このような受信点の分布の差異を考慮することなく、同一の算出式でビタビ尤度を算出することは好ましくない。そこで、本発明に係る受信手法では、中心点から受信点までの距離について、可変の閾値を設け、閾値を境にして異なる変換を行うこととした。そして、かかる可変の閾値を電界強度に応じて変更することとした。
【００２４】
たとえば、同図の「ＣＮ＝１３ｄｂ（弱電界）」に示した場合には、閾値（Ａ１）を０とすることで、従来と同様の変換を行う。また、同図の「ＣＮ＝１６ｄｂ（やや弱電界）」に示した場合には、閾値（Ａ２）を閾値（Ａ１）より大きい値としたうえで、距離が閾値（Ａ２）以下の場合には、距離変化に関わらずビタビ尤度を一定としつつ、距離が閾値（Ａ２）よりも大きい場合には、距離の増加に伴ってビタビ尤度が減少するように変換する。
【００２５】
また、同図の「ＣＮ＝１９ｄｂ（少し弱電界）」に示した場合には、閾値（Ａ３）を閾値（Ａ２）より大きい値としたうえで、距離が閾値（Ａ３）以下の場合には、距離変化に関わらずビタビ尤度を一定としつつ、距離が閾値（Ａ３）よりも大きい場合には、距離の増加に伴ってビタビ尤度が減少するように変換する。
【００２６】
そして、同図の「ＣＮ＝ｆｒｅｅ（強電界）」に示した場合には、閾値（Ａ４）をＭＡＸ（隣接するコンスタレーションまでの距離）とすることで、距離変化に関わらずビタビ尤度を一定とする。
【００２７】
このように、本発明に係る受信手法では、電界強度に応じて所定の閾値を変化させることで、受信点の分布状況を加味したビタビ尤度を算出することとした。したがって、受信波の電界強度が変化した場合であっても生成するビタビ尤度の精度を安定させ、これによって、誤り訂正精度を高めることができる。以下では、本発明に係る受信手法を適用した受信装置についての実施例を説明する。
【実施例】
【００２８】
図２は、本実施例に係る受信装置１０の構成を示すブロック図である。同図に示すように、受信装置１０は、アンテナ１に接続されるチューナ部１１と、Ａ（Analog）Ｄ（Digital）変換部１２と、同期部１３と、ＦＦＴ（Fast  Fourier  Transform）部１４と、ビタビ尤度生成部１５と、復号部１６とを備えている。
【００２９】
また、ビタビ尤度生成部１５は、電界強度取得部１５ａと、距離取得部１５ｂと、閾値変更部１５ｃと、変換部１５ｄとをさらに備えている。なお、本実施例では、電界強度取得部１５ａが、ＦＦＴ部１４からの出力に基づいて電界強度を取得する場合について説明する。
【００３０】
チューナ部１１は、アンテナ１からの信号を検波・増幅する処理部であり、検波・増幅後の信号をＡＤ変換部１２へ出力する。また、ＡＤ変換部１２は、チューナ部１１からのアナログ信号をデジタル信号へ変換して出力する。そして、同期部１３は、チューナ部１１から受け取ったデジタル信号について、ＦＦＴ部１４におけるＦＦＴ処理が使用するＦＦＴウィンドウのタイミング決定を行い、決定したタイミングをＦＦＴ部１４に通知する処理を行う。
【００３１】
ＦＦＴ部１４は、搬送波に重畳されたデータをＦＦＴ（Fast  Fourier  Transform；高速フーリエ変換）によって取得し、取得したデータをビタビ尤度生成部１５へ出力する処理を行う。なお、このＦＦＴ部１４は、同相成分軸（In-Phase）について中心点から受信点までの距離を示す「ΔＩ」および直交成分軸（Quadrature）について中心点から受信点までの距離を示す「ΔＱ」の組を、キャリア数（コンスタレーション数）分通知する。
【００３２】
たとえば、６４ＱＡＭ形式のデータの場合、６４組のΔＩおよびΔＱを通知する。なお、ΔＩの２乗とΔＱの２乗とを足しあわせたＭＥＲ（コンスタレーション中心点からの受信点の距離の２乗）を通知することとしてもよい。
【００３３】
ここで、ＦＦＴ部１４によって同相成分軸（In-Phase）および直交成分軸（Quadrature）に展開された受信データについて図３を用いて説明しておく。図３は、コンスタレーションにおける中心点および受信点の例を示す図である。
【００３４】
なお、図３には、６４ＱＡＭ形式のデータを示しており、同相成分軸（In-Phase）について８個、直交成分軸（Quadrature）について８個、合計６４個のコンスタレーションを含んでいる。また、図３の（１）には、コンスタレーションにおける基準点を、図３の（２）には、コンスタレーションにおける受信点が基準点からずれる様子を、それぞれ示している。
【００３５】
図３の（１）に示すように、デジタル放送波が送信される際には、送信データは、格子状の基準点に合致するように配列されている。しかし、デジタル放送波が受信される際には、受信環境の影響等で図３の（２）に示したように、各受信点は各基準点からずれた状態となる。ここで、受信点が基準点に近いほど受信状況は良好であるといえる。ＦＦＴ部１４は、同図に示した６４個のコンスタレーションそれぞれについて、ΔＩおよびΔＱの組を算出してビタビ尤度生成部１５へ通知する。
【００３６】
図２の説明に戻り、ビタビ尤度生成部１５について説明する。ビタビ尤度生成部１５は、ＦＦＴ部１４から受け取ったデータに基づいてビタビ尤度を算出し、算出したビタビ尤度を復号部１６へ通知する処理を行う処理部である。
【００３７】
ここで、ビタビ尤度生成部１５が実行する処理の概要について図４を用いて説明する。図４は、ビタビ尤度生成部１５が実行する処理の概要を示す図である。なお、同図の（１）には６４個のコンスタレーションを、同図の（２）には各コンスタレーションにおける受信点の分布状況を、同図の（３）には受信点のマッピング位置に応じた誤り率を、同図の（４）には、各コンスタレーション中心点からの距離（ΔＩまたはΔＱ）からビタビ尤度への変換処理を、それぞれ示している。
【００３８】
同図の（１）に示すように、各コンスタレーションにおける受信点は、各中心点４１とは必ずしも一致せず、所定のばらつきをもった分布となる（同図の破線の円参照）。具体的には、同図の（２）に示すように、隣接するコンスタレーション４２およびコンスタレーション４３について受信点の分布は、分布曲線４２ａおよび分布曲線４３ａのように、各中心点（同図の４２ｂおよび４３ｂ参照）を基準線とした正規分布と考えることができる。
【００３９】
ここで、同図の（２）に示すように、コンスタレーション４２に係る受信点の分布曲線４２ａは、同図の「｜ΔＩＱ｜広がり幅」にわたって中心点４２ｂの両側に分布している。なお、「｜ΔＩＱ｜広がり幅」は、｜ΔＩ｜の広がり幅または｜ΔＱ｜の広がり幅を指し、｜ΔＩ｜の広がり幅と｜ΔＱ｜の広がり幅とが等しいとの仮定に基づいている。
【００４０】
かかる｜ΔＩＱ｜広がり幅は、電界強度に応じて変化するが、同図に示した場合では、コンスタレーション４２についての受信点の分布曲線４２ａは、コンスタレーション４３に及んでおり、コンスタレーション４３についての受信点の分布曲線４３ａは、コンスタレーション４２に及んでいる。
【００４１】
そして、同図の（３）に示すように、分布曲線４２ａと分布曲線４３ａとが重複した領域のデータ誤り率は高いものとなる（同図の４４参照）。これは、隣接するコンスタレーションからの受信点の混ざり込みによる影響によるものである。
【００４２】
そこで、ビタビ尤度生成部１５は、同図の（４）に示すように、各コンスタレーション中心点からの距離からビタビ尤度への変換において、同図に示す４５ａを閾値として閾値の両側でそれぞれ異なる変換を行う。ここで、閾値４５ａは、コンスタレーション４３の中心点４３ｂから｜ΔＩＱ｜広がり幅だけ、コンスタレーション４２の中心点４２ｂへ向かった位置となる。
【００４３】
そして、距離（ΔＩまたはΔＱ）が閾値４５ａ以下である場合には、ビタビ尤度を一定とし（同図に示す４５ｂ参照）、距離（ΔＩまたはΔＱ）が閾値４５ａを上回った場合には、距離の増加に逆比例してビタビ尤度が減少するように（同図に示す４５ｃ参照）、ビタビ尤度を生成する。以下では、このビタビ尤度生成部１５の構成についてさらに詳細に説明する。
【００４４】
電界強度取得部１５ａは、ＦＦＴ部１４から受け取ったΔＩおよびΔＱの組に基づいて電界強度を推定し、推定した電界強度を閾値変更部１５ｃに対して通知する処理を行う処理部である。具体的には、この電界強度取得部１５ａは、たとえば、６４組のΔＩおよびΔＱを用い、ΔＩおよびΔＱの分布が正規分布に基づくと仮定した場合における分布広がり幅（Ｌ）を、たとえば、３×σ（標準偏差）として算出する。そして、算出した分布広がり幅（Ｌ）を閾値変更部１５ｃに対して通知する。
【００４５】
閾値変更部１５ｃは、電界強度取得部１５ａから受け取った分布広がり幅（Ｌ）に基づいて図１に示した閾値を変更する処理を行う処理部である。具体的には、この閾値変更部１５ｃは、分布広がり幅（Ｌ）を用いて隣接するコンスタレーションからの受信点の混ざり込みが発生する範囲を決定し、混ざり込みの有無を区分けする境界（図４の４５ａ参照）を閾値とする。
【００４６】
距離取得部１５ｂは、ＦＦＴ部１４から受け取ったΔＩおよびΔＱの組を変換部１５ｄに渡す処理を行う処理部である。また、変換部１５ｄは、距離取得部１５ｂから受け取ったΔＩおよびΔＱの組のそれぞれについて、閾値変更部１５ｃから受け取った閾値を用いてビタビ尤度へ変換する処理を行う処理部である。また、この変換部１５ｄは、生成したビタビ尤度を復号部１６へ渡す処理を併せて行う。
【００４７】
ところで、この変換部１５ｄは、図１の「従来」に示した変換式を用いて図１の「本発明」に示したビタビ尤度の出力を得るために、距離取得部１５ｂから受け取った距離（ΔＩおよびΔＱ）を補正する処理を行う。
【００４８】
このようにすることで、補正後の距離を、図１の「従来」に示した変換式に入力すると、図１の「本発明」に示したビタビ尤度の出力を得ることができる。すなわち、距離を補正して従来の変換式を用いることで距離からビタビ尤度への変換処理に要するメモリの消費量を抑えることが可能となる。
【００４９】
ここで、変換部１５ｄが行う距離補正の概要について図５を用いて説明する。図５は、距離補正の概要を示す図である。同図の（１）には、出力したいビタビ尤度と距離との関係（同図の点Ａ、点Ｂ、点Ｃ、点Ｄおよび点Ｅが存在する線を参照）を、基準式（同図の点ａ、点ｂおよび点ｃが存在する線を参照）へ、射影する様子を示している。なお、同図に示す「重み付け開始閾値」は、図４に示した閾値４５ａに対応しており、｜ΔＩＱ｜広がり幅に応じて変更される。
【００５０】
かかる射影は、射影元と射影先のビタビ尤度が同一となるように行われる。たとえば、同図に示す点Ａ、点Ｂおよび点Ｃは点ａへ射影される。また、同図に示す点Ｄは点ｂへ、同図に示す点Ｅは点ｃへ、それぞれ射影される。
【００５１】
上記した射影における、点Ａ、点Ｂ、点Ｃ、点Ｄおよび点Ｅの移動量を同図の（２）に示している。なお、同図の（２）に示す上向きの矢印の大きさが各点の移動量を示しており、点Ａの移動量は、同図の（１）における点ａ／点Ａ間の距離となる。同様に、点Ｂの移動量は点ａ／点Ｂ間の距離、点Ｃの移動量は点ａ／点Ｃ間の距離、点Ｄの移動量は点ｂ／点Ｄ間の距離、点Ｅの移動量は点ｃ／点Ｅ間の距離となる。
【００５２】
このように、変換部１５ｄは、ＦＦＴ部１４から受け取ったΔＩおよびΔＱについて、図５の（２）に示した移動量だけコンスタレーション中心方向へ移動させ、移動後のΔＩおよびΔＱをビタビ尤度へ変換する。
【００５３】
図２の説明に戻り、復号部１６について説明する。復号部１６は、ビタビ尤度生成部１５によって生成されたビタビ尤度を用い、受信データに対してビタビ復号などの誤り訂正処理を行う処理部である。そして、この復号部１６は、誤り訂正後の受信データをＴＳ（Transport  Stream）出力として外部装置へ出力する。
【００５４】
次に、図５に示した重み付け開始閾値の算出手順について図６を用いて説明する。図６は、重み付け開始閾値の算出手順を示すフローチャートである。同図に示すように、閾値変更部１５ｃは、｜ΔＩＱ｜分布広がり幅（Ｌ）を、式「Ｌ＝α×Σ（｜ΔＩ｜＋｜ΔＱ｜）／２ｎ」を用いて算出する（ステップＳ１０１）。
【００５５】
ここで、αは係数であり、正規分布の｜ΔＩＱ｜分布広がり幅（Ｌ）が３×σ（標準偏差）と予想されることから、「α＝３」を初期値とする。なお、αの値は、０〜８の範囲で変更することができる。また、ｎは、１シンボル内のキャリア数（コンスタレーション数）を示している。そして、総和演算「Σ」では、１シンボル内のキャリアすべてについて、｜ΔＩ｜および｜ΔＱ｜の総和が算出される。
【００５６】
つづいて、ステップＳ１０１で算出したＬがＭＡＸ（ΔＩまたはΔＱの限界値、すなわち、コンスタレーションの中心点からコンスタレーション外縁までの距離）よりも小さいか否かが判定される（ステップＳ１０２）。そして、「Ｌ＜ＭＡＸ」が成立した場合には（ステップＳ１０２，Ｙｅｓ）、重み付け開始閾値（β）を「β＝ＭＡＸ」としたうえで（ステップＳ１０３）、重み付け開始閾値（β）を出力し（ステップＳ１０７）、処理を終了する。
【００５７】
一方、ステップＳ１０２の判定条件を満たさなかった場合には（ステップＳ１０２，Ｎｏ）、つづいて、ＬがＭＡＸの２倍よりも小さいか否か、すなわち、Ｌがコンスタレーション幅よりも小さいか否かを判定する（ステップＳ１０４）。そして、「Ｌ＜２×ＭＡＸ」が成立した場合には（ステップＳ１０４，Ｙｅｓ）、重み付け開始閾値（β）を「β＝２×ＭＡＸ―Ｌ」としたうえで（ステップＳ１０５）、重み付け開始閾値（β）を出力し（ステップＳ１０７）、処理を終了する。
【００５８】
また、ステップＳ１０４の判定条件を満たさなかった場合には（ステップＳ１０４，Ｎｏ）、重み付け開始閾値（β）を「β＝０」としたうえで（ステップＳ１０６）、重み付け開始閾値（β）を出力し（ステップＳ１０７）、処理を終了する。
【００５９】
次に、図５に示した距離補正の処理手順について図７を用いて説明する。図７は、距離補正の処理手順を示すフローチャートである。なお、同図では、ΔＩについての距離補正について示しているが、ΔＱについての距離補正についても、同様の手順で行うことができる。
【００６０】
同図に示すように、変換部１５ｄは、ΔＩを入力するとともに（ステップＳ２０１）、重み付け開始閾値（β）を入力する（ステップＳ２０２）。ここで、重み付け開始閾値（β）は、図６に示した手順で生成されたものである。
【００６１】
つづいて、｜ΔＩ｜（ΔＩの絶対値）がβよりも大きいか否かを判定する（ステップＳ２０３）。そして、「｜ΔＩ｜＞β」が成立した場合には（ステップＳ２０３，Ｙｅｓ）、つづいて、｜ΔＩ｜がＭＡＸ（ΔＩの限界値、すなわち、コンスタレーションの中心点からコンスタレーション外縁までの距離）よりも小さいか否かを判定する（ステップＳ２０４）。
【００６２】
そして、「ΔＩ｜＜ＭＡＸ」が成立した場合には（ステップＳ２０４，Ｙｅｓ）、Ｉの移動量（Ｉｍ）を、「Ｉｍ＝β（ＭＡＸ―｜ΔＩ｜）／（ＭＡＸ―β）」とする（ステップＳ２０５）。一方、ステップＳ２０３の判定条件を満たさなかった場合（ステップＳ２０３，Ｎｏ）、および、ステップＳ２０４の判定条件を満たさなかった場合には（ステップＳ２０４，Ｎｏ）、Ｉの移動量（Ｉｍ）を「Ｉｍ＝｜ΔＩ｜」とする（ステップＳ２０６）。
【００６３】
つづいて、ΔＩが０よりも大きいか否かを判定し（ステップＳ２０７）、「ΔＩ＞０」が成立した場合には（ステップＳ２０７，Ｙｅｓ）、距離補正後のΔＩを、「ΔＩ=ΔＩ―Ｉｍ」としたうえで（ステップＳ２０８）、補正後のΔＩを出力して（ステップＳ２１０）処理を終了する。
【００６４】
一方、ステップＳ２０７の判定条件を満たさなかった場合には（ステップＳ２０７，Ｎｏ）、距離補正後のΔＩを、「ΔＩ＝ΔＩ＋Ｉｍ」としたうえで（ステップＳ２０９）、補正後のΔＩを出力して（ステップＳ２１０）処理を終了する。
【００６５】
上述してきたように、本実施例では、電界強度取得部が、受信波の電界強度を取得するとともに、距離取得部が、直交周波数分割多重信号を同相成分軸および直交成分軸であらわしたコンスタレーションにおける中心点と受信点との距離を取得し、変換部が、取得された距離からビタビ尤度への変換について、かかる距離が所定の閾値を上回ったか否かによってそれぞれ異なる変換を行うこととしたうえで、閾値変更部が、取得された電界強度に基づいてかかる閾値を変更するように受信装置を構成したので、受信波の電界強度が変化した場合であっても生成するビタビ尤度の精度を安定させ、これによって、誤り訂正精度を高めることができる。
【産業上の利用可能性】
【００６６】
以上のように、本発明に係る受信装置および受信方法は、受信波の電界強度が変化した場合であっても生成するビタビ尤度の精度を安定させることで誤り訂正精度を高めたい場合に有用であり、特に、自動車などのように受信状況が変化しやすい環境においても受信状態を安定させたい場合に適している。
【図面の簡単な説明】
【００６７】
【図１】本発明に係る受信手法の概要を示す図である。
【図２】本実施例に係る受信装置の構成を示すブロック図である。
【図３】コンスタレーションにおける中心点および受信点の例を示す図である。
【図４】ビタビ尤度生成部が実行する処理の概要を示す図である。
【図５】距離補正の概要を示す図である。
【図６】重み付け開始閾値の算出手順を示すフローチャートである。
【図７】距離補正の処理手順を示すフローチャートである。
【符号の説明】
【００６８】
１    アンテナ
１０    受信装置
１１    チューナ部
１２    ＡＤ変換部
１３    同期部
１４    ＦＦＴ部
１５    ビタビ尤度生成部
１５ａ  電界強度取得部
１５ｂ  距離取得部
１５ｃ  閾値変更部
１５ｄ  変換部
１６    復号部
【図１】
2010063030.tif 000003
【図２】
2010063030.tif 000004
【図３】
2010063030.tif 000005
【図４】
2010063030.tif 000006
【図５】
2010063030.tif 000007
【図６】
2010063030.tif 000008
【図７】
2010063030.tif 000009